(57)【特許請求の範囲】
【請求項１】
上衣部と、前記上衣部の下端部に接続された下衣部と、を備え、被介護者が着用するための衣服であって、
前記下衣部は、前身頃と、後身頃と、前記前身頃の下端部より延びる股覆い部と、を有し、前記股覆い部は前記後身頃の外面に重ね合わされるように構成され、前記股覆い部及び前記後身頃には、前記後身頃と前記後身頃の外面に重ね合わされた前記股覆い部とを相互に着脱自在に係合するための第１の係合手段が設けられ、また、前記股覆い部は前記後身頃の形状に対応した形状を有しており、
前記股覆い部が前記後身頃の外面に重ね合わされると、前記後身頃の大部分が前記股覆い部によって覆われ、前記股覆い部と前記後身頃との重ね合わせ部は、前記衣服を着用した被介護者の臀部のほぼ全域を覆うことを特徴とする衣服。
【請求項２】
前記第１の係合手段は、前記股覆い部の内面に設けられた第１の面ファスナと、前記後身頃の外面に設けられた第２の面ファスナとから構成され、前記第１の面ファスナと前記第２の面ファスナとが相互に着脱自在に係合されることを特徴とする請求項１に記載の衣服。
【請求項３】
前記股覆い部は前記後身頃の外面及び内面に重ね合わされるように構成され、前記股覆い部及び前記後身頃には、更に、前記後身頃と前記後身頃の内面に重ね合わされた前記股覆い部とを相互に着脱自在に係合するための第２の係合手段が設けられていることを特徴とする請求項１又は２に記載の衣服。
【発明の詳細な説明】
【技術分野】
【０００１】
本発明は、例えばおむつを使用する被介護者が着用するための衣服に関する。
【背景技術】
【０００２】
例えば寝たきりの認知症患者などの被介護者は、排泄物を処理するためにおむつを使用することがある。このようにおむつを使用する被介護者が着用する衣服は、例えば、上衣部と、上衣部の下端部に接続された下衣部と、を備えている（例えば、特許文献１参照）。被介護者が上衣部と下衣部との間よりおむつ内に手を入れて汚物に触れるなどの不潔行為を防止するために、上衣部及び下衣部は一続きに構成されている。下衣部は、前身頃と、後身頃と、後身頃の下端部より延びる股覆い部と、を有しており、前身頃の外面及び股覆い部の内面にはそれぞれ面ファスナが設けられている。股覆い部を前身頃の外面に重ね合わせ、一対の面ファスナを相互に係合させると、被介護者のおむつの上に下衣部が着用される。おむつを交換する際には、介護者などが一対の面ファスナを相互に引き剥がして下衣部の股部を開放させることにより、おむつが外部に露出される。
【０００３】
【特許文献１】実用新案登録第３０３３３４０号公報
【発明の開示】
【発明が解決しようとする課題】
【０００４】
しかしながら、例えば寝たきりの認知症患者などの被介護者が上述のような衣服を着用すると、被介護者が仰向けに寝た状態で無意識のうちに一対の面ファスナを相互に引き剥がし、おむつ内に手を入れて汚物に触れるなどの不潔行為を行うおそれがある。
【０００５】
本発明の目的は、被介護者がおむつ内の汚物に触れるなどの不潔行為を防止することができる衣服を提供することである。
【課題を解決するための手段】
【０００６】
本発明の請求項１に記載の衣服では、上衣部と、前記上衣部の下端部に接続された下衣部と、を備え、被介護者が着用するための衣服であって、
前記下衣部は、前身頃と、後身頃と、前記前身頃の下端部より延びる股覆い部と、を有し、前記股覆い部は前記後身頃の外面に重ね合わされるように構成され、前記股覆い部及び前記後身頃には、前記後身頃と前記後身頃の外面に重ね合わされた前記股覆い部とを相互に着脱自在に係合するための第１の係合手段が設けられ、また、前記股覆い部は前記後身頃の形状に対応した形状を有しており、
前記股覆い部が前記後身頃の外面に重ね合わされると、前記後身頃の大部分が前記股覆い部によって覆われ、前記股覆い部と前記後身頃との重ね合わせ部は、前記衣服を着用した被介護者の臀部のほぼ全域を覆うことを特徴とする。
【０００７】
さらに、本発明の請求項２に記載の衣服では、前記第１の係合手段は、前記股覆い部の内面に設けられた第１の面ファスナと、前記後身頃の外面に設けられた第２の面ファスナとから構成され、前記第１の面ファスナと前記第２の面ファスナとが相互に着脱自在に係合されることを特徴とする。
【０００８】
また、本発明の請求項３に記載の衣服では、前記股覆い部は前記後身頃の外面及び内面に重ね合わされるように構成され、前記股覆い部及び前記後身頃には、更に、前記後身頃と前記後身頃の内面に重ね合わされた前記股覆い部とを相互に着脱自在に係合するための第２の係合手段が設けられていることを特徴とする。
【発明の効果】
【０００９】
本発明の請求項１に記載の衣服によれば、股覆い部は後身頃の外面に重ね合わされ、第１の係合手段によって股覆い部及び後身頃は相互に着脱自在に係合されるので、衣服を着用した被介護者が例えばベッドなどの上に仰向けに寝た状態では、股覆い部と後身頃との重ね合わせ部が被介護者の臀部によって押さえ付けられ、この重ね合わせ部が被介護者の体重によって下方に向けて押圧される。従って、被介護者が自ら股覆い部と後身頃との係合を解除し難くなり、これにより被介護者がおむつ内の汚物に触れるなどの不潔行為を防止することができる。また、股覆い部は後身頃の形状に対応した形状を有しているので、衣服を着用した被介護者が例えばベッドなどの上に仰向けに寝ると、股覆い部と後身頃との重ね合わせ部が被介護者の臀部のほぼ全域を覆うようになる。これにより、この重ね合わせ部が被介護者の臀部などに与える違和感を少なくすることができ、衣服の着用時の快適性を良好に保つことができる。
【００１１】
さらに、本発明の請求項２に記載の衣服によれば、第１の係合手段は、股覆い部の内面に設けられた第１の面ファスナと、後身頃の外面に設けられた第２の面ファスナとから構成されているので、股覆い部と後身頃との相互の着脱を容易に行うことができる。
【００１２】
また、本発明の請求項３に記載の衣服によれば、股覆い部及び後身頃には第２の係合手段が更に設けられているので、股覆い部と後身頃とを相互に係合させる際に、例えば用途などに応じて第１又は第２の係合手段によって股覆い部を後身頃の外面又は内面に重ね合わせることができ、汎用性の高い衣服を提供することができる。
【発明を実施するための最良の形態】
【００１３】
以下、添付図面を参照して、本発明に従う衣服の一実施形態について説明する。図１は、本発明の一実施形態による衣服において、下衣部の股部を開放した状態を示す正面図であり、図２は、図１の股覆い部を後身頃の外面に重ね合わせた状態における衣服を示す正面図であり、図３は、図２の状態における衣服を示す背面図であり、図４は、図２中のＡ−Ａ線による衣服の概略部分断面図であり、図５は、図１の股覆い部を後身頃の内面に重ね合わせた状態における衣服を示す正面図である。
【００１４】
図１〜図５を参照して、図示の衣服２は、上衣部４と、上衣部４の下端部に接続された下衣部６と、を備え、これら上衣部４と下衣部６とは一続きに構成されている。上衣部４は胴部８を備え、この胴部８には、衣服２を着用する被介護者（図示せず）の首を通すための襟口部１０と、被介護者の両腕を通すための一対の袖部１２とが設けられている。
【００１５】
下衣部６は、被介護者の下腹部を覆うための前身頃１４と、被介護者の臀部を覆うための後身頃１６と、前身頃１４の下端部から延びる股覆い部１８と、を備えている。前身頃１４及び後身頃１６の各々の外周部には、伸縮自在に構成されたゴム部材２０が設けられている。股覆い部１８の内面には第１の面ファスナ２２が設けられ、後身頃１６の外面には第１の面ファスナ２２と着脱自在に係合される第２の面ファスナ２４が設けられており、これら第１及び第２の面ファスナ２２，２４によって第１の係合手段が構成される。第１及び第２の面ファスナ２２，２４を相互に係合させると、股覆い部１８が後身頃１６の外面に重ね合わされ、下衣部６には被介護者の両脚を通すための一対の裾口部２６が形成される（図２〜図４参照）。また、第１及び第２の面ファスナ２２，２４を相互に引き剥がすと、股覆い部１８が後身頃１６の外面より離脱され、下衣部６の股部２８が開放される（図１参照）。
【００１６】
また、股覆い部１８の外面には第３の面ファスナ３０が設けられ、後身頃１６の内面には第３の面ファスナ３０と着脱自在に係合される第４の面ファスナ３２が設けられており、これら第３及び第４の面ファスナ３０，３２によって第２の係合手段が構成される。第３及び第４の面ファスナ３０，３２を相互に係合させると、股覆い部１８が後身頃１６の内面に重ね合わされ、上述と同様に下衣部６には一対の裾口部２６が形成される（図５参照）。また、第３及び第４の面ファスナ３０，３２を相互に引き剥がすと、股覆い部１８が後身頃１６の内面より離脱され、上述と同様に下衣部６の股部２８が開放される（図１参照）。
【００１７】
上述した衣服２は、例えば寝たきりの認知症患者などのおむつを使用する被介護者に対して次のようにして着用される。まず、介護者などが第１及び第２の面ファスナ２２，２４（又は第３及び第４の面ファスナ３０，３２）を相互に引き剥がし、下衣部６の股部２８を開放させた状態で、この開放された股部２８を通して被介護者の上半身に上衣部４の胴部８を着用させる。その後に、介護者などが下衣部６の股覆い部１８を後身頃１６の外面に重ね合わせ、第１及び第２の面ファスナ２２，２４を相互に係合させると、被介護者の股間が下衣部６の股覆い部１８によって覆われるとともに、被介護者の両脚が下衣部６に形成された一対の裾口部２６を通して外部に延び、このようにして被介護者の下半身に着用されたおむつの上に下衣部６が着用される。
【００１８】
このように衣服２を着用した被介護者が例えばベッド３４の上に仰向けに寝ると、股覆い部１８と後身頃１６との重ね合わせ部３６が被介護者の臀部によって押さえ付けられ、相互に係合された第１及び第２の面ファスナ２２，２４が被介護者の体重によって下方に向けて押圧される（図４参照）。従って、被介護者が自ら第１及び第２の面ファスナ２２，２４を相互に引き剥がし難くなり、これにより被介護者がおむつ内の汚物に触れるなどの不潔行為を防止することができる。
【００１９】
また、おむつを交換する際には、介護者などが被介護者を横に向かせるなどして第１及び第２の面ファスナ２２，２４を相互に引き剥がすことにより、下衣部６の股部２８が開放されておむつが外部に露出され、これによりおむつの交換を容易に行うことができる。
【００２０】
また、被介護者が上述した不潔行為を行うおそれがない場合には、下衣部６の股覆い部１８を後身頃１６の内面に重ね合わせ、第３及び第４の面ファスナ３０，３２を相互に係合させることにより、被介護者のおむつの上に下衣部６を着用させてもよい（図５参照）。
【００２１】
なお、本実施形態では、第１及び第２の係合手段を設けるように構成したが、第２の係合手段を省略し、第１の係合手段のみを設けるようにしてもよい。
次に、図６及び図７を参照して、衣服の他の実施形態について説明する。図６は、本発明の他の実施形態による衣服において、下衣部の股部を開放した状態を示す正面図であり、図７は、図６の股覆い部を後身頃の外面に重ね合わせた状態における衣服を示す背面図である。この他の実施形態において、上述した実施形態の構成要素と実質上同一の構成要素には同一の符号を付し、その説明を省略する。
【００２２】
この他の実施形態の衣服２Ａでは、下衣部６Ａの股覆い部１８Ａは、後身頃１６の形状に対応した形状を有しており、股覆い部１８Ａが後身頃１６の外面に重ね合わされると、後身頃１６の大部分が股覆い部１８Ａによって覆われる（図７参照）。また、股覆い部１８Ａの内面には第１の面ファスナ２２Ａが設けられ、後身頃の外面には第１の面ファスナ２２Ａと着脱自在に係合される第２の面ファスナ２４Ａが設けられ、これら第１及び第２の面ファスナ２２Ａ，２４Ａによって第１の係合手段が構成される。
【００２３】
この衣服２Ａを着用した被介護者が例えばベッドの上に仰向けに寝ると、股覆い部１８Ａと後身頃１６との重ね合わせ部３６Ａが被介護者の臀部のほぼ全域を覆うようになる。これにより、この重ね合わせ部３６Ａが被介護者の臀部などに与える違和感を少なくすることができ、衣服２Ａの着用時の快適性を良好に保つことができる。
【００２４】
以上、本発明に従う衣服の種々の実施形態について説明したが、本発明はかかる実施形態に限定されるものではなく、本発明の範囲を逸脱することなく種々の変形乃至修正が可能である。
【００２５】
例えば、上記各実施形態では、第１（第２）の係合手段を面ファスナ２２，２４（３０，３２）から構成したが、例えばスナップボタンなどから構成してもよい。
また例えば、上記各実施形態では、第１（第２）の係合手段を第１及び第２（第３及び第４）の面ファスナ２２，２４（３０，３２）から構成したが、これらのうち一方を面ファスナの機能を有する布部材から構成してもよい。
【図面の簡単な説明】
【００２６】
【図１】本発明の一実施形態による衣服において、下衣部の股部を開放した状態を示す正面図である。
【図２】図１の股覆い部を後身頃の外面に重ね合わせた状態における衣服を示す正面図である。
【図３】図２の状態における衣服を示す背面図である。
【図４】図２中のＡ−Ａ線による衣服の概略部分断面図である。
【図５】図１の股覆い部を後身頃の内面に重ね合わせた状態における衣服を示す正面図である。
【図６】本発明の他の実施形態による衣服において、下衣部の股部を開放した状態を示す正面図である。
【図７】図６の股覆い部を後身頃の外面に重ね合わせた状態における衣服を示す背面図である。
【符号の説明】
【００２７】
２，２Ａ  衣服
４  上衣部
６，６Ａ  下衣部
１４  前身頃
１６  後身頃
１８，１８Ａ  股覆い部
２２，２２Ａ  第１の面ファスナ
２４，２４Ａ  第２の面ファスナ
【図１】
0004410288.tif 000002
【図２】
0004410288.tif 000003
【図３】
0004410288.tif 000004
【図４】
0004410288.tif 000005
【図５】
0004410288.tif 000006
【図６】
0004410288.tif 000007
【図７】
0004410288.tif 000008